(57)【特許請求の範囲】
【請求項１】
複数のオス側導線の各々が挿入された状態で、メス型コネクタと嵌合することにより、前記複数のオス側導線の各々と、前記メス型コネクタに挿入された複数のメス側導線の各々とを電気的に接続するオス型コネクタであって、
前記複数のオス側導線の各々が挿入される複数のオス側挿入穴の各々を含むオス側本体部と、
前記複数のオス側挿入穴の各々の周囲に形成され、前記メス型コネクタとの嵌合方向に前記オス側本体部から突出した複数の突起の各々とを備え、
前記複数の突起の各々の先端は、前記メス型コネクタとの嵌合方向を法線とする平面に対して傾斜した面を含み、
前記オス側本体部は、前記メス型コネクタとの嵌合方向の法線を有し、前記メス型コネクタに面する側の第１の平面を含む基部を含み、
前記複数の突起の各々は前記基部から突出し、
前記基部は、前記第１の平面における前記複数の突起の各々の周囲に形成された、前記第１の平面の法線方向から見た場合に環状の形状を有する複数の前側溝の各々を含む、オス型コネクタ。
【請求項２】
前記複数の突起の各々の先端はテーパー状である、請求項１に記載のオス型コネクタ。
【請求項３】
前記複数の突起の各々の側面は、前記メス型コネクタとの嵌合方向に対して傾斜する、請求項１または２に記載のオス型コネクタ。
【請求項４】
前記基部は、前記第１の平面とは反対側の第２の平面をさらに含み、
前記オス側本体部は、
前記基部の前記第１の平面から突出し、前記メス型コネクタとの嵌合部分の最外周の縁を構成する前側部と、
前記基部の前記第２の平面に固定され、前記第２の平面と平行な第３の平面を有する後側部とをさらに含む、請求項１〜３のいずれかに記載のオス型コネクタ。
【請求項５】
前記複数の前側溝の各々は、前記メス型コネクタとの嵌合方向を法線とする平面に対して傾斜した底面を含む、請求項４に記載のオス型コネクタ。
【請求項６】
前記後側部は、前記第３の平面において、前記複数のオス側挿入穴の各々の周囲に形成された後側溝を含む、請求項５に記載のオス型コネクタ。
【請求項７】
前記複数のオス側挿入穴の各々の周囲において、前記メス型コネクタとの嵌合方向とは反対方向に前記オス側本体部から突出した複数の後側突起の各々をさらに備えた、請求項１〜５のいずれかに記載のオス型コネクタ。
【請求項８】
前記複数の後側突起の各々の隙間の部分に充填された絶縁体をさらに備えた、請求項７に記載のオス型コネクタ。
【請求項９】
前記オス側本体部に固定された保持部をさらに備え、
前記保持部は、前記オス側本体部よりも前記メス型コネクタと嵌合する側とは反対側で、前記複数のオス側導線の各々を保持する、請求項１〜８のいずれかに記載のオス型コネクタ。
【請求項１０】
複数のメス側導線の各々が挿入された状態で、オス型コネクタと嵌め合わされることにより、前記複数のメス側導線の各々と、前記オス型コネクタに挿入された複数のオス側導線の各々とを電気的に接続するメス型コネクタであって、
メス側本体部と、
前記オス型コネクタとの嵌合方向に前記メス側本体部から突出し、前記オス型コネクタと嵌合する嵌合部とを備え、
前記メス側本体部および前記嵌合部は、前記複数のメス側導線の各々が挿入される複数のメス側挿入穴の各々を含み、
前記嵌合部は、前記オス型コネクタに面する側の面に形成され、前記複数のメス側挿入穴の各々の周囲に形成された複数の嵌合溝の各々を含み、
前記複数の嵌合溝の各々の底面は、前記オス型コネクタとの嵌合方向を法線とする平面に対して傾斜した面を含み、
前記メス側本体部は、前記オス型コネクタとの嵌合方向の法線を有し、前記オス型コネクタに面する側の第１の平面を含み、
前記嵌合部は、前記メス側本体部の前記第１の平面から突出し、前記第１の平面に平行な第３の平面を有し、
前記嵌合部は、前記第３の平面における前記複数の嵌合溝の各々の周囲に形成された、前記第３の平面の法線方向から見た場合に環状の形状を有する複数の突起の各々を含む、メス型コネクタ。
【請求項１１】
前記複数の嵌合溝の各々の底部はテーパー状である、請求項１０に記載のメス型コネクタ。
【請求項１２】
前記複数の嵌合溝の各々の側面は、前記オス型コネクタとの嵌合方向に対して傾斜する、請求項１０または１１に記載のメス型コネクタ。
【請求項１３】
前記メス側本体部は、前記第１の平面とは反対側の第２の平面をさらに含む、請求項１０〜１２のいずれかに記載のメス型コネクタ。
【請求項１４】
前記メス側本体部の前記第２の平面に固定され、前記第２の平面と平行な第４の平面を有する後側部をさらに備え、
前記後側部は、前記第３の平面において、前記複数のメス側挿入穴の各々の周囲に形成された後側溝を含む、請求項１３に記載のメス型コネクタ。
【請求項１５】
前記複数のメス側挿入穴の各々の周囲において、前記オス型コネクタとの嵌合方向とは反対方向に前記メス側本体部から突出した複数の後側突起の各々をさらに備えた、請求項１０〜１３のいずれかに記載のメス型コネクタ。
【請求項１６】
前記複数の後側突起の各々の隙間の部分に充填された絶縁体をさらに備えた、請求項１５に記載のメス型コネクタ。
【請求項１７】
前記メス側本体部に固定された保持部をさらに備え、
前記保持部は、前記メス側本体部よりも前記オス型コネクタと嵌合する側とは反対側で、前記複数のメス側導線の各々を保持する、請求項１０〜１６のいずれかに記載のメス型コネクタ。
【発明の詳細な説明】
【技術分野】
【０００１】
本発明は、オス型コネクタおよびメス型コネクタに関する。より特定的には、本発明は、沿面距離を長く取ることのできるオス型コネクタおよびメス型コネクタに関する。
【背景技術】
【０００２】
コネクタは、オス型コネクタとメス型コネクタとによって構成されている。オス型コネクタとメス型コネクタの各々は、コネクタハウジングを備えている。コネクタハウジングには、複数の端子が間隔を開けて配置される。オス型コネクタおよびメス型コネクタのうち一方のコネクタハウジングが他方のコネクタハウジングに嵌合されると、一方のコネクタハウジングに挿入された複数の端子の各々と、他方のコネクタハウジングに挿入された複数の端子の各々とが接続される。
【０００３】
上述のような構造を有するコネクタにおいて、互いに絶縁すべき２つの導線の間の距離であって、２つの導線の間に設けられた絶縁物の表面に沿った最短距離を沿面距離という。ＪＩＳ（Ｊａｐａｎｅｓｅ  Ｉｎｄｕｓｔｒｉａｌ  Ｓｔａｎｄａｒｄｓ）規格などでは、コネクタの耐電圧を確保するために、コネクタの沿面距離を所定値以上にすることが規定されている。
【０００４】
沿面距離を確保するためは、２つの導線の間隔を大きくすればよい。しかし、２つの導線の間隔を大きくすると、コネクタの大型化を招く。そこで従来、コネクタを大型化せずに沿面距離を長く取ることのできる技術が提案されている。
【０００５】
たとえば下記特許文献１には、プラグコネクタとレセプタクルコネクタとを備える電気コネクタが開示されている。プラグコネクタおよびレセプタクルコネクタの各々には、所要数のコンタクトが配列されている。プラグコネクタおよびレセプタクルコネクタの各々は、固定される少なくとも１つ以上の絶縁体と、絶縁体を覆うシェルとを備えている。プラグコネクタの嵌合面側で、レセプタクルコネクタのコンタクトが挿入される挿入孔の周囲には、凹部溝が設けられている。
【先行技術文献】
【特許文献】
【０００６】
【特許文献１】特開２００５−３０２３９８号公報
【発明の概要】
【発明が解決しようとする課題】
【０００７】
しかしながら、従来のコネクタには、沿面距離が短く耐電圧が低いという問題が依然としてあった。
【０００８】
本発明は、上記課題を解決するためのものであり、その目的は、耐電圧を向上することのできるオス型コネクタおよびメス型コネクタを提供することである。
【課題を解決するための手段】
【０００９】
本発明の一の局面に従うオス型コネクタは、複数のオス側導線の各々が挿入された状態で、メス型コネクタと嵌合することにより、複数のオス側導線の各々と、メス型コネクタに挿入された複数のメス側導線の各々とを電気的に接続するオス型コネクタであって、複数のオス側導線の各々が挿入される複数のオス側挿入穴の各々を含むオス側本体部と、複数のオス側挿入穴の各々の周囲に形成され、メス型コネクタとの嵌合方向にオス側本体部から突出した複数の突起の各々とを備え、複数の突起の各々の先端は、メス型コネクタとの嵌合方向を法線とする平面に対して傾斜した面を含み、オス側本体部は、メス型コネクタとの嵌合方向の法線を有し、メス型コネクタに面する側の第１の平面を含む基部を含み、複数の突起の各々は基部から突出し、基部は、第１の平面における複数の突起の各々の周囲に形成された、第１の平面の法線方向から見た場合に環状の形状を有する複数の前側溝の各々を含む。
【００１０】
上記オス型コネクタにおいて好ましくは、複数の突起の各々の先端はテーパー状である。
【００１１】
上記オス型コネクタにおいて好ましくは、複数の突起の各々の側面は、メス型コネクタとの嵌合方向に対して傾斜している。
【００１２】
上記オス型コネクタにおいて好ましくは、基部は、第１の平面とは反対側の第２の平面をさらに含み、オス側本体部は、基部の第１の平面から突出し、メス型コネクタとの嵌合部分の最外周の縁を構成する前側部と、基部の第２の平面に固定され、第２の平面と平行な第３の平面を有する後側部とをさらに含む。
【００１３】
上記オス型コネクタにおいて好ましくは、複数の前側溝の各々は、メス型コネクタとの嵌合方向を法線とする平面に対して傾斜した底面を含む。
【００１４】
上記オス型コネクタにおいて好ましくは、後側部は、第３の平面において、複数のオス側挿入穴の各々の周囲に形成された後側溝を含む。
【００１５】
上記オス型コネクタにおいて好ましくは、複数のオス側挿入穴の各々の周囲において、メス型コネクタとの嵌合方向とは反対方向にオス側本体部から突出した複数の後側突起の各々をさらに備える。
【００１６】
上記オス型コネクタにおいて好ましくは、複数の後側突起の各々の隙間の部分に充填された絶縁体をさらに備える。
【００１７】
上記オス型コネクタにおいて好ましくは、オス側本体に固定された保持部をさらに備え、保持部は、オス側本体部よりもメス型コネクタと嵌合する側とは反対側で、複数のオス側導線の各々を保持する。
【００１８】
本発明の他の局面に従うメス型コネクタは、複数のメス側導線の各々が挿入された状態で、オス型コネクタと嵌め合わされることにより、複数のメス側導線の各々と、オス型コネクタに挿入された複数のオス側導線の各々とを電気的に接続するメス型コネクタであって、メス側本体部と、オス型コネクタとの嵌合方向にメス側本体部から突出し、オス型コネクタと嵌合する嵌合部とを備え、メス側本体部および嵌合部は、複数のメス側導線の各々が挿入される複数のメス側挿入穴の各々を含み、嵌合部は、オス型コネクタに面する側の面に形成され、複数のメス側挿入穴の各々の周囲に形成された複数の嵌合溝の各々を含み、複数の嵌合溝の各々の底面は、オス型コネクタとの嵌合方向を法線とする平面に対して傾斜した面を含み、メス側本体部は、オス型コネクタとの嵌合方向の法線を有し、オス型コネクタに面する側の第１の平面を含み、嵌合部は、メス側本体部の第１の平面から突出し、第１の平面に平行な第３の平面を有し、嵌合部は、第３の平面における複数の嵌合溝の各々の周囲に形成された、第３の平面の法線方向から見た場合に環状の形状を有する複数の突起の各々を含む。
【００１９】
上記メス型コネクタにおいて好ましくは、複数の嵌合溝の各々の底部はテーパー状である。
【００２０】
上記メス型コネクタにおいて好ましくは、複数の嵌合溝の各々の側面は、オス型コネクタとの嵌合方向に対して傾斜している。
【００２１】
上記メス型コネクタにおいて好ましくは、メス側本体部は、第１の平面とは反対側の第２の平面をさらに含む。
【００２３】
上記メス型コネクタにおいて好ましくは、メス側本体部の第２の平面に固定され、第２の平面と平行な第４の平面を有する後側部をさらに備え、後側部は、第３の平面において、複数のメス側挿入穴の各々の周囲に形成された後側溝を含む。
【００２４】
上記メス型コネクタにおいて好ましくは、複数のメス側挿入穴の各々の周囲において、オス型コネクタとの嵌合方向とは反対方向にメス側本体部から突出した複数の後側突起の各々をさらに備える。
【００２５】
上記メス型コネクタにおいて好ましくは、複数の後側突起の各々の隙間の部分に充填された絶縁体をさらに備える。
【００２６】
上記メス型コネクタにおいて好ましくは、メス側本体に固定された保持部をさらに備え、保持部は、メス側本体部よりもオス型コネクタと嵌合する側とは反対側で、複数のメス側導線の各々を保持する。
【発明の効果】
【００２７】
本発明によれば、沿面距離を長く取ることのできるオス型コネクタおよびメス型コネクタを提供することができる。
【図面の簡単な説明】
【００２８】
【図１】メス型コネクタと嵌合する側から見た場合の、本発明の一実施の形態におけるオス型コネクタ１００の構成を示す斜視図である。
【図２】メス型コネクタと嵌合する側とは反対の側から見た場合の、本発明の一実施の形態におけるオス型コネクタ１００の構成を示す平面図である。
【図３】図１中ＩＩＩ−ＩＩＩ線に沿った断面図である。
【図４】図３における１つの挿入穴１０２付近の拡大図である。
【図５】オス型コネクタと嵌合する側から見た場合の、本発明の一実施の形態におけるメス型コネクタの構成を示す斜視図である。
【図６】オス型コネクタと嵌合する側とは反対の側から見た場合の、本発明の一実施の形態におけるメス型コネクタの構成を示す平面図である。
【図７】図５中ＶＩＩ−ＶＩＩ線に沿った断面図である。
【図８】図７における１つの挿入穴２０２付近の拡大図である。
【図９】本発明の一実施の形態におけるオス型コネクタ１００またはメス型コネクタ２００が保持部を備える場合の構成を示す上面図である。
【図１０】本発明の一実施の形態において、オス型コネクタ１００とメス型コネクタ２００とが嵌合した状態を模式的に示す図である。
【図１１】本発明の一実施の形態の効果を説明する図である。
【図１２】メス型コネクタと嵌合する側から見た場合の、本発明の変形例におけるオス型コネクタ１００の構成を示す斜視図である。
【図１３】メス型コネクタと嵌合する側とは反対の側から見た場合の、本発明の変形例におけるオス型コネクタ１００の構成を示す平面図である。
【図１４】オス型コネクタと嵌合する側から見た場合の、本発明の変形例におけるメス型コネクタ２００の構成を示す斜視図である。
【図１５】オス型コネクタと嵌合する側とは反対の側から見た場合の、本発明の変形例におけるメス型コネクタ２００の構成を示す平面図である。
【発明を実施するための形態】
【００２９】
以下、本発明の一実施の形態について、図面に基づいて説明する。
【００３０】
始めに、本発明の一実施の形態におけるオス型コネクタの構成について説明する。
【００３１】
図１は、メス型コネクタと嵌合する側から見た場合の、本発明の一実施の形態におけるオス型コネクタ１００の構成を示す斜視図である。図２は、メス型コネクタと嵌合する側とは反対の側から見た場合の、本発明の一実施の形態におけるオス型コネクタ１００の構成を示す平面図である。なお、以降の図において、矢印ＡＲ１００は、メス型コネクタとの嵌合方向を示しており、矢印ＡＲ２００は、オス型コネクタとの嵌合方向を示している。矢印ＡＲ１００と矢印ＡＲ２００とは、正反対の方向である。
【００３２】
図１および図２を参照して、本実施の形態におけるオス型コネクタ１００は、本体部１０１（オス側本体部の一例）と、複数の突起１０３とを備えている。本体部１０１は、複数のオス側導線（図示無し）の各々が挿入される複数の挿入穴１０２（オス側挿入穴の一例）の各々を含んでいる。複数の挿入穴１０２の各々は、メス型コネクタとの嵌合方向に本体部１０１を貫通している。複数の挿入穴１０２の各々は４段に分けられて設けられている。最上段（図１中最も上側）から最下段（図１中最も下側）にかけて、それぞれ１０個、１１個、１０個、１１個の挿入穴１０２が設けられている。互いに隣接する２つの段の挿入穴１０２に着目すると、下段の挿入穴１０２の各々は、上段の挿入穴１０２同士の間の位置に設けられている。複数の突起１０３の各々は、複数の挿入穴１０２の各々の周囲に形成されている。複数の突起１０３の各々は、メス型コネクタとの嵌合方向に本体部１０１から突出している。
【００３３】
本体部１０１は、基部１１１と、前側部１１２と、後側部１１３とを含んでいる。基部１１１は、板状であり、前面１１１ａと背面１１１ｂとを含んでいる。前面１１１ａは、メス型コネクタに面する側の平面であり、メス型コネクタとの嵌合方向の法線を有している。背面１１１ｂは、前面１１１ａとは反対側の平面であり、メス型コネクタとの嵌合方向の法線を有している。複数の突起１０３の各々は基部１１１の前面１１１ａから突出している。基部１１１は、複数の前側溝１０４ａを含んでいる。複数の前側溝１０４ａの各々は、前面１１１ａにおける複数の突起１０３の各々の周囲に形成されており、環状の平面形状を有している。基部１１１は、両側（前側部１１２で取り囲まれていない部分）に、固定穴１１４をさらに含んでいる。固定穴１１４は、オス型コネクタ１００をメス型コネクタに固定するために用いられる。
【００３４】
前側部１１２は、基部１１１の前面１１１ａから突出している。前側部１１２は、略矩形の枠の形状を有している。前側部１１２は、複数の挿入穴１０２、複数の突起１０３、および複数の前側溝１０４ａを取り囲んでおり、メス型コネクタとの嵌合部分の最外周の縁を構成している。
【００３５】
後側部１１３は、板状であり、基部１１１の背面１１１ｂに固定されている。後側部１１３は、背面１１１ｂと平行な背面１１３ａ（第３の平面の一例）を含んでいる。図２で見た場合に、背面１１３ａは背面１１１ｂよりも小さい。後側部１１３は、複数の後側溝１０５を含んでいる。複数の後側溝１０５の各々は、背面１１３ａにおける複数の挿入穴１０２の各々の周囲に形成されており、環状の平面形状を有している。
【００３６】
図３は、図１中ＩＩＩ−ＩＩＩ線に沿った断面図である。図４は、図３における１つの挿入穴１０２付近の拡大図である。
【００３７】
図３および図４を参照して、複数の突起１０３の各々の先端１０３ａは、メス型コネクタとの嵌合方向を法線とする平面ＰＬに対して傾斜した面を含んでいる。複数の突起１０３の各々の先端１０３ａは、メス型コネクタとの嵌合方向に向かって先細りとなるテーパー状となっている。
【００３８】
複数の突起１０３の各々の間には、複数の溝１０４の各々が形成されている。溝１０４は、メス型コネクタと嵌合するための溝である。複数の溝１０４の各々は、２つの前側溝１０４ａと、底面１０４ｂと、側面（突起の側面）１０４ｃとにより構成されている。溝１０４は、平面ＰＬに対して傾斜した底面を含んでいる。前側溝１０４ａの各々は、曲面（半円状）の断面形状を有している。底面１０４ｂは、２つの前側溝１０４ａの間に位置する平面である。底面１０４ｂは、２つの前側溝１０４ａとともに溝１０４の底面を構成している。側面１０４ｃは、前側溝１０４ａと先端１０３ａとの間に設けられている。側面１０４ｃは、メス型コネクタとの嵌合方向に対して傾斜している。
【００３９】
複数の挿入穴１０２の各々は、小径部１０２ａと、大径部１０２ｂとを含んでいる。小径部１０２ａは、メス型コネクタと嵌合する側（図３中上側）に設けられている。大径部１０２ｂは、小径部１０２ａと後側溝１０５との間に設けられている。小径部１０２ａは、オス側導線を挿入するための部分である。大径部１０２ｂは、オス側導線と係合することによりオス側導線をオス型コネクタ１００に固定するための部分である。小径部１０２ａおよび大径部１０２ｂは、いずれも円筒形状を有している。なお、小径部１０２ａおよび大径部１０２ｂの形状は、円筒形状に限定されるものではなく、挿入されるメス側導線（コンタクトのピンなど）の形状に応じて任意の形状とすることができる。
【００４０】
複数の後側溝１０５の各々は、複数の挿入穴１０２の大径部１０２ｂの各々と連通している。複数の後側溝１０５の各々の側面１０５ａは、メス型コネクタとの嵌合方向に対して傾斜している。
【００４１】
次に、本発明の一実施の形態におけるメス型コネクタの構成について説明する。
【００４２】
図５は、オス型コネクタと嵌合する側から見た場合の、本発明の一実施の形態におけるメス型コネクタの構成を示す斜視図である。図６は、オス型コネクタと嵌合する側とは反対の側から見た場合の、本発明の一実施の形態におけるメス型コネクタの構成を示す平面図である。
【００４３】
図５および図６を参照して、本実施の形態におけるメス型コネクタ２００は、本体部２０１を備えている。本体部２０１は、複数のメス側導線（図示無し）の各々が挿入される複数の挿入穴２０２（メス側挿入穴の一例）の各々を含んでいる。複数の挿入穴２０２の各々は、オス型コネクタとの嵌合方向に本体部２０１を貫通している。複数の挿入穴２０２の各々は４段に分けられて設けられている。最上段（図５中最も上側）から最下段（図５中最も下側）にかけて、それぞれ１０個、１１個、１０個、１１個の挿入穴２０２が設けられている。互いに隣接する２つの段の挿入穴２０２に着目すると、下段の挿入穴２０２の各々は、上段の挿入穴２０２同士の間の位置に設けられている。
【００４４】
本体部２０１は、基部２１１（メス側本体部の一例）と、前側部２１２（嵌合部の一例）と、後側部２１３とを含んでいる。基部２１１は、板状であり、前面２１１ａと背面２１１ｂとを含んでいる。前面２１１ａは、オス型コネクタに面する側の平面であり、オス型コネクタとの嵌合方向の法線を有している。背面２１１ｂは、前面２１１ａとは反対側の平面であり、オス型コネクタとの嵌合方向の法線を有している。基部２１１は、前側部２１２の固定位置の両側に固定穴２１４をさらに含んでいる。固定穴２１４は、メス型コネクタ２００をオス型コネクタに固定するために用いられる。
【００４５】
前側部２１２は、板状であり、基部２１１の前面２１１ａに固定されている。前側部２１２は、オス型コネクタとの嵌合方向に前面２１１ａから突出している。前側部２１２は、オス型コネクタと嵌合する部分である。前側部２１２の外形は、オス型コネクタの前側部１１２と嵌合する形状になっている。前側部２１２は、オス型コネクタに面する側の面である前面２１２ａを含んでいる。前面２１２ａと前面２１１ａとは互いに平行である。図５で示す方向から見た場合に、前面２１２ａは前面２１１ａよりも小さい。前側部２１２は、複数の嵌合溝２０５と、複数の突起２０４ａとを含んでいる。複数の嵌合溝２０５の各々は、前面２１２ａに形成されており、複数の挿入穴２０２の各々の周囲に形成されている。複数の嵌合溝２０５の各々は、複数の挿入穴２０２の各々と連通している。複数の突起２０４ａの各々は、前面２１２ａにおける複数の嵌合溝２０５の各々の周囲に形成されており、環状の平面形状を有している。
【００４６】
後側部２１３は、板状であり、基部２１１の背面２１１ｂに固定されている。後側部２１３は、背面２１１ｂと平行な背面２１３ａ（第３の平面の一例）と、複数の後側溝２０６とを含んでいる。図６で見た場合に、背面２１３ａは背面２１１ｂよりも小さい。複数の後側溝２０６の各々は、背面２１３ａにおける複数の挿入穴２０２の各々の周囲に形成されており、環状の平面形状を有している。
【００４７】
図７は、図５中ＶＩＩ−ＶＩＩ線に沿った断面図である。図８は、図７における１つの挿入穴２０２付近の拡大図である。
【００４８】
図７および図８を参照して、複数の嵌合溝２０５の各々は、底面２０５ａと、側面２０５ｂとを含んでいる。底面２０５ａは、オス型コネクタとの嵌合方向を法線とする平面ＰＬに対して傾斜した面を含んでいる。複数の嵌合溝２０５の各々の底部は、オス型コネクタとの嵌合方向とは反対の方向に向かって先細りとなるテーパー状となっている。側面２０５ｂは、底面２０５ａと前面２１２ａとの間に設けられている。側面２０５ｂは、オス型コネクタとの嵌合方向に対して傾斜している。
【００４９】
複数の嵌合溝２０５の各々の間の前面２１２ａは、平面ＰＬに対して傾斜している。複数の嵌合溝２０５の各々の間の前面２１２ａは、オス型コネクタと嵌合する部分である。複数の嵌合溝２０５の各々の間の前面２１２ａは、２つの突起２０４ａと、底面２０４ｂとにより構成されている。２つの突起２０４ａは、複数の嵌合溝２０５の各々の周囲に形成された突起２０４ａに相当する。突起２０４ａの各々は、曲面（半円状）の断面形状を有している。底面２０４ｂは、２つの突起２０４ａの間に形成されている。
【００５０】
複数の挿入穴２０２の各々は、小径部２０２ａと、中径部２０２ｂと、大径部２０２ｃとを含んでいる。小径部２０２ａは、オス型コネクタと嵌合する側（図７中下側）に設けられている。中径部２０２ｂは、小径部２０２ａと大径部２０２ｃとの間に設けられている。大径部２０２ｃは、中径部２０２ｂと後側溝２０６との間に設けられている。小径部２０２ａは、オス側導線を挿入するための部分である。中径部２０２ｂは、ソケットとメス側導線とを挿入するための部分である。ソケットとは、オス側導線およびメス側導線の外周を覆うことにより、オス側導線とメス側導線との接続を補助する部品である。大径部２０２ｃは、メス側導線と係合することによりメス側導線をメス型コネクタ２００に固定するための部分である。小径部２０２ａ、中径部２０２ｂ、および大径部２０２ｃは、いずれも円筒形状を有している。
【００５１】
複数の後側溝２０６の各々は、複数の挿入穴２０２の大径部２０２ｃの各々と連通している。複数の後側溝２０６の各々の側面２０６ａは、オス型コネクタとの嵌合方向に対して傾斜している。
【００５２】
なお、オス型コネクタ１００およびメス型コネクタ２００のうち少なくとも一方は、導線を保持するための保持部をさらに備えていてもよい。
【００５３】
図９は、本発明の一実施の形態におけるオス型コネクタ１００またはメス型コネクタ２００が保持部を備える場合の構成を示す上面図である。
【００５４】
図９を参照して、オス型コネクタ１００は、本体部１０１に固定された保持部３１０および３１１をさらに備えている。保持部３１０は、Ｕ字形状の平面形状を有しており、固定穴１１４に挿入されたボルト３０１と、本体部１０１およびナット３０２との間に挟み込まれることにより、本体部１０１に固定されている。保持部３１１は、保持部３１０のＵ字形状の底の部分の上部に、ボルト３０３によって固定されている。保持部３１１は、紙面に垂直な方向に盛り上がった部分３１１ａを有している。
【００５５】
複数のオス側ケーブル４００の各々は、オス側導線と、オス側導線の外周を被覆する絶縁体とを含んでいる。複数のオス側ケーブル４００は、オス型コネクタ１００に挿入された状態で、保持部３１０と、保持部３１１の部分３１１ａとの間に挟み込まれる。これにより、保持部３１０および３１１は、本体部１０１よりもメス型コネクタと嵌合する側とは反対側で、複数のオス側ケーブル４００の各々を保持する。オス側ケーブル４００を固定する力は、ボルト３０３の締め付けの程度によって調整可能である。なお、メス型コネクタ２００が保持部を備える場合、保持部３１０および３１１は本体部２０１に固定され、本体部２０１よりもオス型コネクタと嵌合する側とは反対側で、複数のメス側ケーブルの各々を保持する。メス型コネクタ２００が保持部を備える場合のその他の構成は、オス型コネクタ１００が保持部を備える場合の構成とほぼ同様であるため、その説明は繰り返さない。
【００５６】
続いて、オス型コネクタ１００とメス型コネクタ２００とが嵌合した状態を説明する。
【００５７】
図１０は、本発明の一実施の形態において、オス型コネクタ１００とメス型コネクタ２００とが嵌合した状態を模式的に示す図である。
【００５８】
図１０を参照して、オス型コネクタ１００には複数のオス側ケーブル４００の各々が挿入されており、メス型コネクタ２００には複数のメス側ケーブル４１０の各々が挿入されている。この状態で、オス型コネクタ１００とメス型コネクタ２００とを嵌合すると、複数のオス側ケーブル４００のオス側導線４０１の各々と、複数のメス側ケーブル４１０のメス側導線４１１の各々とが電気的に接続される。複数の突起１０３の各々と、複数の嵌合溝２０５の各々とは嵌合している。複数の溝１０４の各々と、前側部２１２の先端とは嵌合している。固定穴１１４および２１４の各々に挿入されたボルト３０１によって、オス型コネクタ１００とメス型コネクタ２００とは固定される。
【００５９】
複数のオス側ケーブル４００の各々は、オス側導線４０１と、オス側導線４０１の外周を被覆する絶縁体４０２とを含んでいる。絶縁体４０２の先端は、後側溝１０５に挿入されている。オス側導線４０１の先端は、絶縁体４０２から露出しており、挿入穴１０２に挿入されている。
【００６０】
複数のメス側ケーブル４１０の各々は、メス側導線４１１と、メス側導線４１１の外周を被覆する絶縁体４１２とを含んでいる。絶縁体４１２の先端は、後側溝２０６に挿入されている。メス側導線４１１の先端は、絶縁体４１２から露出しており、挿入穴２０２に挿入されている。後側溝２０６にはソケット４２０がさらに挿入されている。ソケット４２０は、オス側導線４０１およびメス側導線４１１の各々の先端の外周を覆っている。
【００６１】
図１１は、本発明の一実施の形態の効果を説明する図である。図１１（ａ）は、本発明の一実施の形態のオス型コネクタ１００における、挿入穴１０２付近の沿面距離を示す図である。図１１（ｂ）は、比較例のオス型コネクタにおける、挿入穴付近の沿面距離を示す図である。
【００６２】
図１１（ａ）を参照して、比較例におけるオス型コネクタにおいて、挿入穴付近のオス型コネクタの表面は、平面ＰＬに対して平行な平面と、平面ＰＬに対して垂直な平面とで構成されている。突起１０３に相当する突起の先端は、距離Ｌ１０１という沿面距離を有している。溝１０４に相当する溝の側面は、距離Ｌ１０２という沿面距離を有している。溝１０４に相当する溝の底面は、距離Ｌ１０３という沿面距離を有している。
【００６３】
図１１（ｂ）を参照して、本実施の形態におけるオス型コネクタにおいて、突起１０３の先端は、平面ＰＬに対して傾斜している。こため、突起１０３の先端は、距離Ｌ１という沿面距離を有している。距離Ｌ１は距離Ｌ１０１よりも大きい。また、溝１０４の側面は、メス型コネクタとの嵌合方向に対して傾斜している。このため、溝１０４の側面は、距離Ｌ２という沿面距離を有している。距離Ｌ２は距離Ｌ１０２よりも大きい。さらに、溝１０４の底面は、平面ＰＬに対して傾斜している。こため、溝１０４の底面は、距離Ｌ３という沿面距離を有している。距離Ｌ３は距離Ｌ１０３よりも大きい。また、後側溝１０５の各々の側面１０５ａが平面ＰＬに対して傾斜しているので、裏面側の沿面距離を大きくすることができる。その結果、耐電圧を向上することができる。
【００６４】
本実施の形態におけるメス型コネクタ２００は、オス型コネクタ１００と嵌合する形状を有している。したがって、オス型コネクタと同様の理由により、沿面距離を大きくすることができる。その結果、耐電圧を向上することができる。
【００６５】
続いて、本発明の変形例について説明する。
【００６６】
図１２は、メス型コネクタと嵌合する側から見た場合の、本発明の変形例におけるオス型コネクタ１００の構成を示す斜視図である。図１３は、メス型コネクタと嵌合する側とは反対の側から見た場合の、本発明の変形例におけるオス型コネクタ１００の構成を示す平面図である。
【００６７】
図１２および図１３を参照して、本変形例におけるオス型コネクタ１００は、本体部１０１と、複数の突起１０３と、複数の後側突起１０７とを備えている。本変形例におけるオス型コネクタ１００において、複数の挿入穴１０２の各々は、メス型コネクタとの嵌合方向に本体部１０１を貫通している。複数の挿入穴１０２の各々は６段に分けられて設けられている。最上段（図１２中最も上側）から最下段（図１２中最も下側）にかけて、それぞれ６個の挿入穴１０２が設けられている。複数の突起１０３の各々は、メス型コネクタとの嵌合方向に基部１１１の前面１１１ａから突出している。また、複数の後側突起１０７の各々は、複数の挿入穴１０２の各々の周囲に形成されている。複数の後側突起１０７の各々は、メス型コネクタとの嵌合方向とは反対方向に基部１１１の背面１１１ｂから突出している。
【００６８】
後側部１１３は、基部１１１の背面１１１ｂから突出している。前側部１１２は、略矩形の枠の形状を有している。後側部１１３は、複数の挿入穴１０２および複数の後側突起１０７を取り囲んでおり、メス型コネクタとの嵌合部分の最外周の縁を構成している。
【００６９】
複数の突起１０３の各々の先端は、メス型コネクタとの嵌合方向を法線とする平面に対して傾斜した面を含んでいる。複数の突起１０３の各々の先端は、たとえば、メス型コネクタとの嵌合方向に向かって先細りとなるテーパー状となっている。
【００７０】
後側部１１３で取り囲まれた部分であって、複数の後側突起１０７の各々の隙間の部分に、樹脂やシリコーンなどの絶縁体が充填されていてもよい。これにより、オス型コネクタ１００の背面側の耐圧を一層向上することができる。
【００７１】
なお、上述以外のオス型コネクタの構成は、上述の実施の形態におけるオス型コネクタの構成と同様であるため、同一の部材には同一の符号を付し、その説明は繰り返さない。
【００７２】
図１４は、オス型コネクタと嵌合する側から見た場合の、本発明の変形例におけるメス型コネクタ２００の構成を示す斜視図である。図１５は、オス型コネクタと嵌合する側とは反対の側から見た場合の、本発明の変形例におけるメス型コネクタ２００の構成を示す平面図である。
【００７３】
図１４および図１５を参照して、本変形例におけるメス型コネクタ２００において、複数の挿入穴２０２の各々は、オス型コネクタとの嵌合方向に本体部２０１を貫通している。複数の挿入穴２０２の各々は６段に分けられて設けられている。最上段（図１４中最も上側）から最下段（図１４中最も下側）にかけて、それぞれ６個の挿入穴２０２が設けられている。メス型コネクタ２００は、複数の後側突起２０７をさらに備えている。複数の後側突起２０７の各々は、複数の挿入穴２０２の各々の周囲に形成されている。複数の後側突起２０７の各々は、オス型コネクタとの嵌合方向とは反対方向に本体部２０１から突出している。
【００７４】
前側部２１２は、複数の挿入穴２０２の各々と連通する複数の嵌合溝２０５の各々を含んでいる。複数の嵌合溝２０５の各々の底面は、オス型コネクタとの嵌合方向を法線とする平面に対して傾斜した面を含んでいる。
【００７５】
後側部２１３で取り囲まれた部分であって、複数の後側突起２０７の各々の隙間の部分に、樹脂やシリコーンなどの絶縁体が充填されていてもよい。これにより、メス型コネクタ２００の背面側の耐圧を一層向上することができる。
【００７６】
なお、上述以外のメス型コネクタの構成は、上述の実施の形態におけるメス型コネクタの構成と同様であるため、同一の部材には同一の符号を付し、その説明は繰り返さない。
【００７７】
本変形例によれば、上述の実施の形態と同様の効果を得ることができる。加えて、複数の挿入穴１０２の各々の周囲に複数の後側突起１０７の各々が形成されており、複数の挿入穴２０２の各々の周囲に複数の後側突起２０７の各々が形成されているので、オス型コネクタ１００およびメス型コネクタ２００の沿面距離をさらに長くすることができる。
【００７８】
上述の実施の形態および変形例において、コネクタの外形、突起の長さ、導線を挿入するための挿入穴の個数または位置などは、自由に変更することはできる。
【００７９】
上述の実施の形態および変形例は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８０】
１００  オス型コネクタ
１０１，２０１  本体部
１０２，２０２  挿入穴
１０２ａ，２０２ａ  挿入穴の小径部
１０２ｂ，２０２ｃ  挿入穴の大径部
１０３，２０４ａ  突起
１０３ａ  突起の先端
１０４  突起の間の溝
１０４ａ  前側溝
１０４ｂ  溝の底面
１０４ｃ  溝の側面
１０５，２０６  後側溝
１０５ａ，２０６ａ  後側溝の側面
１０７，２０７  後側突起
１１１，２１１  本体部の基部
１１１ａ，２１１ａ  基部の前面
１１１ｂ，２１１ｂ  基部の背面
１１２，２１２  本体部の前側部
１１３，２１３  本体部の後側部
１１３ａ，２１３ａ  後側部の背面
１１４，２１４  固定穴
２００  メス型コネクタ
２０２ｂ  挿入穴の中径部
２０４ｂ  突起の間の底面
２０５  嵌合溝
２０５ａ  嵌合溝の底面
２０５ｂ  嵌合溝の側面
２１２ａ  前側部の前面
３０１，３０３  ボルト
３０２  ナット
３１０，３１１  保持部
３１１ａ  保持部の盛り上がった部分
４００  オス側ケーブル
４０１  オス側導線
４０２，４１２  絶縁体
４１０  メス側ケーブル
４１１  メス側導線
４２０  ソケット
ＡＲ１００，ＡＲ２００  矢印
Ｌ１，Ｌ２，Ｌ３，Ｌ１０１，Ｌ１０２，Ｌ１０３  距離
ＰＬ  メス型コネクタまたはオス型コネクタとの嵌合方向を法線とする平面
【図１】
0006532665.tif 000002
【図２】
0006532665.tif 000003
【図３】
0006532665.tif 000004
【図４】
0006532665.tif 000005
【図５】
0006532665.tif 000006
【図６】
0006532665.tif 000007
【図７】
0006532665.tif 000008
【図８】
0006532665.tif 000009
【図９】
0006532665.tif 000010
【図１０】
0006532665.tif 000011
【図１１】
0006532665.tif 000012
【図１２】
0006532665.tif 000013
【図１３】
0006532665.tif 000014
【図１４】
0006532665.tif 000015
【図１５】
0006532665.tif 000016